(57)【要約】【課題】古典系の通信システムにおいて、Ｙ−００プロトコルを実行するための方策を含んだ暗号送信装置を提供する。【解決手段】情報伝送する搬送波を発生する搬送波発生器と雑音発生器とこれらの出力側に接続された合波器と、初期鍵を有する擬似乱数発生器とその出力側に接続された基底選択制御器と、入力側において合波器と基底選択制御器に接続されかつ出力側において送信器に接続されたＭ−ａｒｙ変調器とで暗号送信装置を構成し、Ｍ−ａｒｙ変調器が基底選択器により選択された基底情報と送信データにしたがって対応する信号値を変調出力する。【選択図】図１
2006080720.tif 000002
【特許請求の範囲】
【請求項１】
情報伝送する搬送波を発生する搬送波発生器と雑音を発生する雑音発生器と初期鍵を持つ送信用擬似乱数発生器と基底選択制御器と前記基底選択制御器によって選択された基底情報と送信データにしたがって対応する信号値に変調し出力するＭ−ａｒｙ変調器とを有してなり、Ｍ−ａｒｙ変調器が基底選択制御器により選択された基底情報と送信データにしたがって対応する信号を出力することを特徴とする暗号送信装置。
【請求項２】
雑音発生器に代えて不規則信号発生器とその出力側に接続された変調器とを有してなることを特徴とする請求項１に記載の装置。
【請求項３】
搬送波が電磁波、電気信号および光波からなる群から選ばれたひとつの伝送媒体であることを特徴とする請求項１または２に記載の装置。
【請求項４】
雑音が自然現象または人工的不規則信号であることを特徴とする請求項１または２に記載の装置。
【請求項５】
前記の信号値は伝送媒体の振幅、伝送媒体の位相および伝送媒体の周波数からなる群から選ばれたひとつであることを特徴とする請求項１または２に記載の装置。
【発明の詳細な説明】
【技術分野】
【０００１】
この発明は暗号送信装置に関するものであり、さらに詳しくは既存の無線・有線通信システムおよび光通信システムにおいて、人工的付加雑音により高い安全性を保証することを特徴とする暗号通信装置に関するものである。
【背景技術】
【０００２】
現代の主要暗号は安全性の根拠を複雑性理論あるいは計算量に置き、数理科学と共に著しい発展を見せている。他方、通信過程において、その信号系の物理現象に関する物理学の原理を安全性の保証に使う形式がある。これは物理暗号と呼ばれ、近年、開発が進んでいる量子暗号はこれに属している。
【０００３】
具体的な技術としての最初の量子暗号としては、１９８４年のＣ．Ｈ．ＢｅｎｎｅｔｔとＧ．Ｂｒａｓｓａｒｄとによる秘密鍵の配送プロトコル（ＢＢ−８４）がある。これは完全に安全な暗号通信を実現する手段の一部である。
【０００４】
すなわち完全に安全な暗号通信は平文より多い鍵数を用いるｏｎｅ  ｔｉｍｅ  ｐａｄ法でのみ可能であるという原理に沿ったもので、ｏｎｅ  ｔｉｍｅ  ｐａｄ法に必要な大量の鍵の配送を量子通信を応用して実現しようとするものである。
【０００５】
現実にＢＢ−８４プロトコルを実行するためには、一般に信号光源として単一光子が必要である。しかし本発明者等の研究によれば、現実的な環境では鍵伝送速度が１００ｂｐｓ程度であることおよび通信距離が１００ｋｍ程度であることなど種々の制限があり、該システムは原理実験の域を出ないことが示唆された。
【０００６】
これらの欠点を改善するため、量子中継、単一光子生成技術、等々多くのアイデアが提案されているが、いずれも巨視的環境で動作する通信システムとしての実現は期待できそうにない。特に量子中継は巨視的環境での量子相関現象（エンタングルメント）の破壊、さらに中継距離の増加に比例して鍵配送速度が指数的に遅くなる深刻な問題がある。
【０００７】
このようにＢＢ−８４プロトコルは暗号学における原理探求の一里塚として極めて重要な役割を果たすものではあるが、実用化を目指すものではない。しかし量子暗号の開発においては、ＢＢ−８４のような鍵配送のみではなく、従来の暗号のように直接暗号化する共通鍵暗号も考察の対象となり得るのである。
【０００８】
最近、現状の光ネットワーク上で実用化が期待でき、かつＢＢ−８４鍵配送とｏｎｅ  ｔｉｍｅ  ｐａｄ法の組み合わせによる完全安全な暗号通信と同じ安全性を持つ共通鍵量子暗号が開発された。
【０００９】
この共通鍵量子暗号では、Ｍ−ａｒｙ量子状態変調暗号方式という新しい枠組を応用するものであり、正規送受信者間の光変復調装置はＭ個の量子信号基底を共通の擬似乱数にしたがって切り換えて通信することにより、直接暗号通信を実施するものである。
【００１０】
ここで量子信号基底とは１と０の情報を送信するときに、その情報を送信する２個の量子信号対を言うものである。例えば０度と１８０度の位相のコヒーレント状態信号によって情報が送信されるとき、その２個の量子状態信号対が基底となる。
【００１１】
上記のアイデアに基づく暗号プロトコルは一般にＹｕｅｎ−２０００暗号通信プロトコル（Ｙ−００プロトコルと略称される）と呼ばれている。このＹ−００プロトコルを具現化する最初の通信装置は２００２年にＰ．ＫｕｍａｒやＨ．ＹｕｅｎらのＮｏｒｔｈｗｅｓｔｅｒｎ大学のグループにより発表されている。
【００１２】
発表された方式では、安全性を高めるために、偏光変調を伴う２モード・コヒーレント状態が用いられた。しかし以下では単一モードによるＹ−００プロトコルの通信装置の基本原理について図３により説明する。
【００１３】
図３において、レーザダイオード３０１は、２Ｍ値の位相変調可能なコヒーレント光を出力するものであり、Ｍ−ａｒｙ位相変調器３０２は、送信データを変調するものであり、送信用擬似乱数発生器３０３、受信用擬似乱数発生器３０４は、初期鍵Ｋの入力により擬似乱数を発生するものであり、初期鍵Ｋを送信用擬似乱数発生器３０３及び受信用擬似乱数発生器３０４に入力すると同一の擬似乱数列が出力される。
【００１４】
基底選択制御器３０５はその擬似乱数列をｌｏｇ2Ｍビット毎にブロックにして、そのブロックに対応する１０進数に変換し、その１０進数の数に対応する基底の選択をＭ−ａｒｙ位相変調器３０２に指令する。Ｍ−ａｒｙ位相変調器３０２は、選択された基底を用いて送信データ３０６からの１または０情報を送信する。送信器から出力された光信号が通信路３０７を経て受信側に伝送される。通信路３０７は光ファイバーなどの通信経路である。
【００１５】
局発レーザダイオード３０８、合波器３０９、フォトダイオード３１０は通信路出力光との光ヘテロダイン受信を行うものであり、受信用基底選択制御器３１１は擬似乱数列をｌｏｇ2Ｍビット毎にブロックにして、そのブロックに対応する１０進数に変換し、その１０進数に対応する基底情報を位相平面基本軸制御３１２に指令する。光ヘテロダイン受信された後の電気信号は位相平面の基底軸にしたがって１と０の判定が行われ、受信データとなる。
【００１６】
なお初期鍵を共有していない盗聴者はどの基底で信号が送られているか知らないので、２Ｍ値の位相変調信号を全て識別する受信法を採用しなければならない。
【００１７】
光波は量子系であるので信号自身が量子ゆらぎを持っている。位相平面上の隣接する信号の識別限界は量子信号検出理論によって計算可能であり、その誤り率は量子力学的原理としての識別限界となり、その近似式は次のように与えられる。
【００１８】
【数１】
2006080720.tif 000003
【００１９】
ここで
【数２】
2006080720.tif 000004
であり、＜ｎ＞は信号光パルス当りの平均光子数である。この誤り率は盗聴者の量子力学的原理としての識別限界となる。ｉは２Ｍ個の信号の番号である。
【００２０】
上記の値がＰe＝０．４５〜０．５０となるように光信号エネルギーと基底数とを設計すれば、盗聴者の受信データにはほとんど情報が含まれないことになる。ここで一例を挙げるとＭ＝１０3、＜ｎ＞＝１０4またはＭ＝１０4、＜ｎ＞＝１０5となる。
【００２１】
このようにＹ−００プロトコルは、通信システムが従来の光通信であるが、鍵を知らない盗聴者の受信法が制限され、かつその受信データからは量子ゆらぎによって情報が得られない工夫がなされていることに基づく完全な安全性を提供する暗号である。
【００２２】
量子ゆらぎによる効果が小さい場合には、主用擬似乱数とは別の擬似乱数によるデータや信号に対するＲａｎｄｏｍｉｚａｔｉｏｎによって量子ゆらぎの効果を増大させる方式がＹｕｅｎやＨｉｒｏｔａによって提案されている。しかし量子ゆらぎのない古典系では、データや信号に対するＲａｎｄｏｍｉｚａｔｉｏｎのみでは暗号の高い安全性が保証できないのである。
【００２３】
【非特許文献１】Ｃ．Ｈ．Ｂｅｎｎｅｔｔ  ａｎｄ  Ｇ．Ｂｒａｓｓａｒｄ，“Ｑｕａｎｔｕｍ  ｃｒｙｐｔｏｇｒａｐｈｙ”，  ｉｎ  Ｐｒｏｃ．ＩＥＥＥ，Ｉｎｔ．  Ｃｏｎｆ．  ｏｎ  Ｃｏｍｐｕｔｅｒｓ  ｓｙｓｔｅｍ，ａｎｄ  ｓｉｇｎａｌ  ｐｒｏｃｅｓｓｉｎｇ，ｐ．１７５，（１９８４）．
【非特許文献２】Ｇ．Ａ．Ｂａｒｂｏｓａ，Ｅ．Ｃｏｒｎｄｏｒｆ，Ｐ．Ｋｕｍａｒ，Ｈ．Ｐ．Ｙｕｅｎ，“Ｓｅｃｕｒｅ  ｃｏｍｍｕｎｉｃａｔｉｏｎ  ｕｓｉｎｇ  ｍｅｓｏｓｃｏｐｉｃ  ｃｏｈｅｒｅｎｔ  ｓｔａｔｅ，”  Ｐｈｙｓ．Ｒｅｖ．Ｌｅｔｔ．，ｖｏｌ−９０，２２７９０１，（２００３）．
【非特許文献３】Ｈ．Ｐ．Ｙｕｅｎ，“Ａ  ｎｅｗ  ａｐｐｒｏａｃｈ  ｔｏ  ｑｕａｎｔｕｍ  ｃｒｙｐｔｏｇｒａｐｈｙ”  Ｌｏｓ  Ａｌａｍｏｓ  ａｒＸｉｖ．  ｑｕａｎｔｕ−ｐｈ／０３１１０６１  ｖ５，（２００３）
【非特許文献４】Ｏ．Ｈｉｒｏｔａ，Ｋ．Ｋａｔｏ，Ｍ．Ｓｏｈｍａ，Ｔ．Ｕｓｕｄａ，Ｋ．Ｈａｒａｓａｗａ，“Ｑｕａｎｔｕｍ  ｓｔｒｅａｍ  ｃｉｐｈｅｒ  ｂａｓｅｄ  ｏｎ  ｏｐｔｉｃａｌ  ｃｏｍｍｕｎｉｃａｔｉｏｎ”  ＳＰＩＥ  Ｐｒｏｃ．  ｖｏｌ−５５５１，（２００４）
【発明の開示】
【発明が解決しようとする課題】
【００２４】
一般に電磁波による有線・無線通信系での送信部は、ほぼ無雑音または極めてＳＮ比が大きく送信付近で盗聴する盗聴者のＳＮ比が正規受信者のＳＮ比より極めて大きくなり、Ｙ−００プロトコルに基づく暗号通信が機能しないという問題がある。
【００２５】
かかる従来技術の現状に鑑みてこの発明の目的は、古典系でＹ−００を実行するための方策を含んだ暗号送信装置を提供することにある。
【課題を解決するための手段】
【００２６】
このためこの発明の暗号送信装置は、情報伝送する搬送波の発生器と雑音発生器とこれらの出力側に接続された合波器と、初期鍵を有する擬似乱数発生器とその出力側に接続された基底選択制御器と、入力側において合波器と基底選択制御器に接続されかつ出力側において送信器に接続されたＭ−ａｒｙ変調器とを有してなる人工的に雑音を付加する機能を持つ送信装置を用い、模擬的に量子ゆらぎを持つ信号系を構成し、盗聴者のＳＮ比を劣化させることを要旨とするものである。
【発明の効果】
【００２７】
この発明においてはかかる構成により、本来、量子系で有効であるＹ−００プロトコルを古典系の有線・無線通信系で機能させることができる。
【実施例】
【００２８】
図１に示すのはこの発明の雑音付加装置の基本的実施例である。搬送波発生器１０１は情報を伝送するための搬送波を発生する装置である。搬送波としては電磁波、電気信号および光波などが用いられる。また雑音発生器１０２は搬送波に加えるための雑音を発生する装置である。雑音としては自然現象または人工的不規則信号が用いられる。搬送波発生器１０１と雑音発生器１０２はそれぞれの出力側において合波器１０３に接続されている。この合波器１０３は搬送波と雑音とを合波する機能を有している。
【００２９】
一方、送信用擬似乱数発生器１０４は初期鍵を有しており、その出力側において基底選択制御器１０５に接続されている。この擬似乱数発生器１０４は初期鍵を長い擬似乱数列に変換する機能を有している。
【００３０】
基底選択制御器１０５は基底を選択するもので、上記の擬似乱数列から基底選択情報を生成する機能を有している。
【００３１】
合波器１０３と制御器１０５とはそれぞれの出力側において共通のＭ−ａｒｙ変調器に接続されている。ここで信号を位相とすればＭ−ａｒｙ変調器１０６はＭ−ａｒｙ位相変調器となる。Ｍ−ａｒｙ変調器１０６は雑音を伴う搬送波に基底情報と送信データにしたがって搬送波を変調するものである。以下では位相信号で説明するが、伝送媒体は振幅、および周波数などがある。
【００３２】
Ｍ−ａｒｙ変調器１０６にあっては、雑音発生器から生成された古典雑音を伴う搬送波に対してＹ−００プロトコルの構成と同等の信号構成を実現する。これによって電磁波を含む古典系で鍵を知らない盗聴者におけるＳＮ比を著しく劣化させる。量子系、つまり、量子雑音が顕著になる準微弱光系におけるＹ−００プロトコル独特の高い安全性を有した暗号通信を古典系で実現しているのである。
【００３３】
ついで各構成要素の動作について詳しく説明する。ただし擬似乱数発生器１０４、基底選択制御器１０５は原理的に従来のＹ−００のと同じなのでその説明は省略する。
【００３４】
搬送波発生器１０１においてはＡｃｏｓ（ωｔ＋θ）で表わされる電磁波が発生される。
【００３５】
雑音発生器１０２においては熱雑音などの自然現象を用いて雑音電磁波：ｎ（ｔ）を発生させるが、そのエネルギー：σ2は以下の関係を満足させるように設計される。
【００３６】
【数３】
2006080720.tif 000005
【００３７】
上式においてｔ0=（πＡ／２Ｍσ）である。正規受信者側におけるＳＮ比が悪くならないように配慮する必要があるのでσ2＝１として、ＡとＭとで上式の数値を調整する。すなわち搬送波電力と雑音電力との比がほぼＡ2となるように調節するのが望ましい。
【００３８】
Ｍ−ａｒｙ変調器１０６は基底選択制御器１０５の指令にしたがって搬送波の位相軸を例えば（０、π）や（π／４、５π／４）などの値に指定する。これが基底に対応する。さらに変調器１０６内では送信データにしたがってその指定された基底を用いた２値の位相偏移キーイング（ｐｈａｓｅ  ｓｈｉｆｔ  ｋｅｙｉｎｇ）が実施される。
【００３９】
以上より、送信装置からは雑音を伴った多数の２値ＰＳＫ変調信号群の一つが不規則に選ばれて送信されることになる。かかる構成によれば、本来量子系で高い安全性を提供するＹ−００プロトコルの機能を古典系で実現することが可能である。受信装置は従来の量子系の概念を搬送波の特徴に合せて古典系の技術で構成すればよいので、その詳しい説明は省略する。
【００４０】
図２に示すのはこの発明の暗号送信装置の変形実施例であって、図１に示す実施例における雑音発生器１０２に代えて、人工的な不規則信号を発生する構成にしたものである。すなわち不規則信号発生器２０１の出力側が変調器２０２を介して合波器１０３に接続されている。
【００４１】
不規則信号発生器２０１は人工的不規則信号を発生し、変調器２０２は該不規則信号を搬送波帯の周波数帯に変調する。合波器１０３は搬送波と不規則信号から変調された信号（同じ周波数帯である）とを合波するものである。図１の構成をかかる構成に変更することによりＹ−００プロトコルの特性を実現できる。
【００４２】
以上の図１、２に示した構成においては古典系によっているが、その量子系との相違を述べる。量子系では初期鍵の情報が漏れない限り完全に安全であるが、実施例１の構成では送信器の雑音発生器の破壊、または装置全体を冷却するなどの攻撃に対しては安全ではない。
【００４３】
また実施例２の構成では、不規則信号の構造が分かれば安全ではない。しかし送信装置が盗まれない限り量子系と同じく、盗聴者が無限の計算能力を有するコンピューターを有していたとしても、解読不可能な暗号を提供できるのである。
【産業上の利用可能性】
【００４４】
この発明の暗号送信装置は、量子系で高い安全性を持つＹ−００プロトコルを古典物理系の有線・無線通信システムにおいて模擬的に実現・実施できるので、広範な通信サービスにおいて利用することができる。
【図面の簡単な説明】
【００４５】
【図１】この発明の暗号送信装置の基本的実施例のブロック線図である。
【図２】同じく変化実施例のブロック線図である。
【図３】単一モードによるＹ−００プロトコルの通信装置の基本構成を示すブロック線図である。
【符号の説明】
【００４６】
１０１：  搬送波発生器
１０２：  雑音発生器
１０３：  合波器
１０４：  送信用擬似乱数発生器
１０５：  基底選択制御器
１０６：  Ｍ−ａｒｙ変調器
１０７：  送信データ
２０１：  不規則信号発生器
２０２：  変調器
【図１】
2006080720.tif 000006
【図２】
2006080720.tif 000007
【図３】
2006080720.tif 000008